(57)【要約】【課題】ＬＥＤの点灯時間を長くしつつ電力消費が小さい携帯電子機器を提供する。【解決手段】本発明の携帯電話機１は、在着信及び／又は未読電子メールの存在を点滅によって報知可能なＬＥＤ１１ａと、ＬＥＤを駆動する定電流ＬＥＤ駆動回路１３と、基地局との無線通信を制御するＣＰＵ１７と、を有し、定電流ＬＥＤ駆動回路１３のチップイネーブル端子と、ＣＰＵ１７の信号出力ポートとを接続ライン１８で接続し、ＣＰＵ１７は、消費電力を抑えるスリープモード時に、一時的に基地局との無線通信を行う間欠受信を行い、間欠受信が終了した後であっても、定電流チップイネーブル端子１３ｂへの入力を一定値以上に維持することによってＬＥＤ１１ａを点滅させる。【選択図】図２
2011155473.tif 000002
【特許請求の範囲】
【請求項１】
不在着信及び／又は未読電子メールの存在を点滅によって報知可能なＬＥＤと、
前記ＬＥＤを駆動するＬＥＤ駆動回路と、
基地局との無線通信を制御する制御部と、を有し、
前記ＬＥＤ駆動回路のチップイネーブル端子と、前記制御部の信号出力ポートとを接続ラインで接続し、
前記制御部は、消費電力を抑えるスリープモード時に、一時的に前記基地局との無線通信を行う間欠受信を行い、
間欠受信が終了した後であっても、チップイネーブル端子への入力を一定値以上に維持することによって前記ＬＥＤを点滅させる
携帯電子機器。
【請求項２】
前記接続ラインと前記ＬＥＤ駆動回路の電源グランドとの間に、前記ＬＥＤの点滅時間を設定可能なキャパシタを配設し、
前記制御部は、前記信号出力ポートをハイレベル及びインピーダンスが高いハイインピーダンスレベルに設定可能であり、
前記制御部は、前記間欠受信時に前記信号出力ポートをハイレベルに設定を行い、前記間欠受信終了時に前記信号出力ポートをハイインピーダンスレベルに設定を行うことによって、前記間欠受信終了後は前記キャパシタから放電される電荷によって前記チップイネーブル端子に印加される電圧を発生して前記ＬＥＤを点滅させる
請求項１に記載の携帯電子機器。
【請求項３】
前記制御部は、前記ハイインピーダンスレベルに設定されている間は、スリープ状態を維持する
請求項１又は２に記載の携帯電子機器。
【請求項４】
前記ＬＥＤ駆動回路のチップイネーブルを有効とする電圧は、前記制御部のハイレベルよりも低い電圧とする
請求項１〜３いずれか１項に記載の携帯電子機器。
【請求項５】
前記接続ラインの間に、制御信号延長回路が接続され、
前記制御信号延長回路は、
延長時間を延長時間値として記録している設定値保持部と、
一定の周波数でパルス信号を発生する発振回路と、
前記信号出力ポートの出力を受けて、リセット信号を発生するリセット発生回路と、
前記リセット発生回路からのリセット信号を受けてからのパルス数をカウントし、カウント値を比較器に出力するカウンタ回路と、
比較器と、を有し、
前記比較器は、前記カウンタ回路から出力された前記カウント値と、前記設定値保持部が有する前記延長時間値とを比較し、前記延長時間値が前記カウント値よりも大である場合には、前記ＬＥＤ駆動回路によって前記ＬＥＤを点灯させ、前記延長時間値が前記カウント値よりも小である場合に、前記ＬＥＤ駆動回路によって前記ＬＥＤを消灯させる
請求項１の携帯電子機器。
【請求項６】
前記ＬＥＤと並列に、第２のキャパシタが配置されている
請求項１〜５いずれか１項に記載の携帯電子機器。
【発明の詳細な説明】
【技術分野】
【０００１】
本発明は携帯電話機、ＰＤＡ、携帯型ゲーム機、携帯用テレビジョン、携帯用ラジオ等の携帯電子機器に関する。
【背景技術】
【０００２】
特許文献１には、着信を表示するＬＥＤの点滅時間の一例が記載されている。
図８は、従来のＬＥＤ１１ａを発光させる回路の説明図である。図８（ａ）はＬＥＤ駆動回路に定電流ＬＥＤ駆動回路を使用した例であり、図８（ｂ）は、ＬＥＤ駆動回路に、定電圧ＬＥＤ駆動回路を使用した例である。
【先行技術文献】
【特許文献】
【０００３】
【特許文献１】特開２００２―０５１１３５号公報
【発明の概要】
【発明が解決しようとする課題】
【０００４】
しかしながら、図８に記載の方法においては、ＬＥＤ１１ａを点滅させるためにＣＰＵを駆動状態にしなければならず、ＬＥＤ１１ａの点灯時間を長くするためにはＣＰＵを長時間駆動状態にし続けなければならないため、電力消費が大きいという不利益がある。
【０００５】
本発明の目的は、ＬＥＤの点灯時間を長くしつつ電力消費が小さい携帯電子機器を提供することにある。
【課題を解決するための手段】
【０００６】
本発明の携帯電子機器は、不在着信及び／又は未読電子メールの存在を点滅によって報知可能なＬＥＤと、前記ＬＥＤを駆動するＬＥＤ駆動回路と、基地局との無線通信を制御する制御部と、を有し、前記ＬＥＤ駆動回路のチップイネーブル端子と、前記制御部の信号出力ポートとを接続ラインで接続し、前記制御部は、消費電力を抑えるスリープモード時に、一時的に前記基地局との無線通信を行う間欠受信を行い、間欠受信が終了した後であっても、チップイネーブル端子への入力を一定値以上に維持することによって前記ＬＥＤを点滅させる。
【０００７】
好適には、前記接続ラインと前記ＬＥＤ駆動回路の電源グランドとの間に、前記ＬＥＤの点滅時間を設定可能なキャパシタを配設し、前記制御部は、前記信号出力ポートをハイレベル及びインピーダンスが高いハイインピーダンスレベルに設定可能であり、前記制御部は、前記間欠受信時に前記信号出力ポートをハイレベルに設定を行い、前記間欠受信終了時に前記信号出力ポートをハイインピーダンスレベルに設定を行うことによって、前記間欠受信終了後は前記キャパシタから放電される電荷によって前記チップイネーブル端子に印加される電圧を発生して前記ＬＥＤを点滅させる。
【０００８】
好適には、前記制御部は、前記ハイインピーダンスレベルに設定されている間は、スリープ状態を維持する。
【０００９】
好適には、前記ＬＥＤ駆動回路のチップイネーブルを有効とする電圧は、前記制御部のハイレベルよりも低い電圧とする。
【００１０】
好適には、前記接続ラインの間に、制御信号延長回路が接続され、前記制御信号延長回路は、延長時間を延長時間値として記録している設定値保持部と、一定の周波数でパルス信号を発生する発振回路と、前記信号出力ポートの出力を受けて、リセット信号を発生するリセット発生回路と、前記リセット発生回路からのリセット信号を受けてからのパルス数をカウントし、カウント値を比較器に出力するカウンタ回路と、比較器と、を有し、前記比較器は、前記カウンタ回路から出力された前記カウント値と、前記設定値保持部が有する前記延長時間値とを比較し、前記延長時間値が前記カウント値よりも大である場合には、前記ＬＥＤ駆動回路によって前記ＬＥＤを点灯させ、前記延長時間値が前記カウント値よりも小である場合に、前記ＬＥＤ駆動回路によって前記ＬＥＤを消灯させる。
【００１１】
好適には、前記ＬＥＤと並列に、第２のキャパシタが配置されている。
【発明の効果】
【００１２】
本発明によると、ＬＥＤの点灯時間を長くしつつ電力消費が小さい携帯電子機器を提供することができる。
【図面の簡単な説明】
【００１３】
【図１】本発明の実施形態に係る携帯電話機の外観を示す斜視図である。
【図２】本実施形態におけるＬＥＤを発光させる回路の説明図である。
【図３】図２の回路の動作の説明図である。
【図４】図２の回路の効果の説明図である。
【図５】ＬＥＤ駆動回路に定電圧ＬＥＤ駆動回路を用いた実施形態の説明図である。
【図６】デジタル的な方法によってＬＥＤの発光時間を延長する方法の説明図である。
【図７】図６の方法の動作の説明図である。
【図８】従来のＬＥＤを発光させる回路の説明図である。
【発明を実施するための形態】
【００１４】
図１は、本発明の実施形態に係る携帯電話機１の外観を示す斜視図である。
【００１５】
携帯電話機１は、非折り畳み式の携帯電話機として構成されている。
携帯電話機１は入力部１０及び表示部８が形成されているフロントケース４と、反対側部分を構成するリアケース５とを有している。以下、フロントケース４とリアケース５とをあわせて筐体２という。
【００１６】
フロントケース４及びリアケース５はネジ等により互いに固定され、フロントケース４及びリアケース５の間に形成された空間に種々の電子部材を収容する収容空間が構成される。
フロントケース４、リアケース５は、例えば、樹脂により形成されている。
【００１７】
入力部１０には、複数の入力キーが配置されており、ユーザはこの入力キーを押圧することによって携帯電話機１に命令・入力を行う。
なお、入力部１０は図１ではフロントケース４の表面にのみ配置されているが、筐体２の右側面、左側面、上側面及び下側面に配置されているサイドキー等も含まれる。
【００１８】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００１９】
なお、方向を示すときは、リアケース５からフロントケース４に向かう方向を表面方向（図１においては、紙面手前の方向）といい、フロントケース４からリアケース５に向かう方向を裏面方向（図１においては、紙面奥手の方向）という。
【００２０】
また、入力部１０から表示部８に向かう方向の位置にある側面を上側面とし、表示部８から入力部１０に向かう方向の位置にある側面を下側面とする。
そして、上側面に向かう方向を上側面方向（図1においては紙面上の方向）といい、下側面に向かう方向を下側面方向（図１においては紙面下の方向）という。
【００２１】
さらに、表示部８を上にして入力部１０を下として、携帯電話機１を見たときに、右側に来る側面を右側面とし、左側に来る側面を左側面という。
そして、右側面側に向かう方向を右側面方向（図１においては、紙面右の方向）といい、左側面の面に向かう方向を左側面方向（図１においては、紙面左の方向）という。
【００２２】
また、筐体２の上側面方向位置にはインジケータ１１が配置されている。このインジケータ１１は、筐体２の表面から上側面に跨って形成されている。
なお、インジケータ１１の位置、形状は設計上、デザイン上の必要等に応じて適宜変更可能である。
このインジケータ１１は、内部に形成されるＬＥＤ１１ａの光を透過させる、透明又は半透明の部材から構成されている。
インジケータ１１は、携帯電話機１への電話着信、電子メール着信、その他の携帯電話機１の状態を表示する為に用いられる。
特に本実施形態においては、電話着信及び電子メール着信があった場合に、ユーザが直ちに対応できなかった場合に、電話着信及び電子メール着信が存在したことをユーザに報知する為に、点滅（点灯と消灯を一定時間周期で繰り替かえすこと）を行う。
この場合に、ユーザにより確実に電話着信及び電子メール着信があったことを報知するためには、インジケータ１１（ＬＥＤ１１ａ）の点灯時間が長い方が好適である。
しかし、ＬＥＤ１１ａを点灯させる為にはＣＰＵ１７（制御部）を駆動しなければならない。
そして、電話着信及び電子メール着信が存在したことをユーザに報知する必要がある場合には、一般的に、ＣＰＵ１７の駆動時間を短くして消費電力を少なくしてバッテリを長持ちさせるスリープモードである場合が多い。
つまり、ＬＥＤ１１ａを長く点灯させてユーザに報知を確実に行う為には、消費電力を低減化するためのスリープモードであるにも関わらずＣＰＵを長時間駆動しなければならないという問題点が生じてしまう。
以下に示す方法によって、ＬＥＤ１１ａの点灯時間を長時間化しつつ、できるだけ消費電力を低減化している。
【００２３】
図２は、本実施形態におけるＬＥＤ１１ａを発光させる回路の説明図である。
【００２４】
図２は、ＬＥＤ駆動回路に定電流ＬＥＤ駆動回路１３を用いた実施形態である。
図２のように、バッテリ１５から電力が供給され、この電力によってＬＥＤ１１ａは発光している。
そして、このバッテリ１５からの電力供給制御を行っているのが定電流ＬＥＤ駆動回路１３である。
本実施形態ではＬＥＤ駆動回路は定電流ＬＥＤ駆動回路１３であるから、定電流出力端子１３ｃ（Ｖｏｕｔ）から出力される電力は一定電流になるように制御されている。
定電流電源供給端子１３ａ（Ｖｉｎ）にバッテリ１５からの電力が供給されている。
また、定電流出力端子１３ｃから出力される電力は、定電流チップイネーブル端子１３ｂ（ＣＥ）による入力によって制御される。具体的には、定電流チップイネーブル端子１３ｂに入力される電圧が閾値以上である場合には、定電流出力端子１３ｃからＬＥＤ１１ａに電力が供給され、ＬＥＤ１１ａは発光する。
逆に、定電流チップイネーブル端子１３ｂに入力される電圧が閾値以下である場合には、定電流出力端子１３ｃからＬＥＤ１１ａに電力の供給がなされず、ＬＥＤ１１ａは発光しない。
なお図３の説明のところで後述するが、本実施形態では、この閾値は定電流ＬＥＤ駆動回路１３が誤作動を起こさない範囲で可能な限り低く設定することが望ましい。
【００２５】
前述したように、定電流ＬＥＤ駆動回路１３は定電流チップイネーブル端子１３ｂへの入力信号によって制御される。そして、定電流ＬＥＤ駆動回路１３の定電流チップイネーブル端子１３ｂへの信号入力はＣＰＵ１７（制御部）によってなされている。
具体的には、ＣＰＵ１７の信号出力ポートと定電流チップイネーブル端子１３ｂは接続されており、信号出力ポートから出力される電圧によって制御される。
もっとも、図３の説明のところで後述するが本実施形態では、信号出力ポートと定電流チップイネーブル端子１３ｂとの接続には、第1キャパシタ１９及び第１抵抗２１が配置されているため、信号出力ポートの出力がそのまま定電流チップイネーブル端子１３ｂの入力とはならない。
【００２６】
ＣＰＵ１７は、例えば無線通信用ＣＰＵ１７ａ及びＵＩ用ＣＰＵ１７ｂ（ユーザインターフェース用ＣＰＵ）から構成されている。
無線通信用ＣＰＵ１７ａは、無線通信に必要な各種の電子部品、回路等を有して、無線通信の制御を行っている。また、ＵＩ用ＣＰＵ１７ｂは、入力部１０、表示部８等を制御する。
通常、無線通信用ＣＰＵ１７ａの駆動には、電波の発信等を行うために多くの電力を必要とする。それゆえ、ユーザが通常操作しない状態では、スリープモードという電力をあまり消費しないモードにして、無線通信用ＣＰＵをスリープ状態として電力消費を抑えている。
この場合でも、定期的（例えば１２００ｍｓ毎）に、基地局からの受信を行う間欠受信を行う。
これによって、電話通信の受信又は電子メールの受信を確認し、それらがあったときには表示部８の表示やインジケータ１１の点滅等によってユーザに、電話通信の受信又は電子メールの受信があったことを報知する。
【００２７】
また、図２のようにＬＥＤ１１ａと並列に、第２キャパシタ２３を配置することも可能である。
このように構成することによって、定電流ＬＥＤ駆動回路１３の定電流出力端子１３ｃから電力が供給されなくなった後も、第２キャパシタ２３に蓄えられた電力によって、ＬＥＤ１１ａをより長く発光させることが可能となる。
【００２８】
図３は、図２の回路の動作の説明図である。
【００２９】
図３（ａ）は、ＣＰＵ１７が間欠受信になり、そして、間欠受信を終了する際のＣＰＵ１７の信号出力ポートの出力の変化状態を記載している。
図３（ｂ）は、ＣＰＵ１７が間欠受信になり、そして、間欠受信を終了する際の定電流チップイネーブル端子１３ｂに入力される電圧の変化状況を記載している。
図３（ｃ）は、ＣＰＵ１７が間欠受信になり、そして、間欠受信を終了する際のＣＰＵ１７の駆動の変化状態を記載している。
図３（ｄ）は、ＣＰＵ１７が間欠受信になり、そして、間欠受信を終了する際のＬＥＤ１１ａの点灯の変化状態を記載している。
【００３０】
図３（ｃ）のように、ＣＰＵ１７がスリープモード中に間欠受信を行うと、その間、ＣＰＵ１７は駆動状態となり、一定期間後には再び非駆動状態となる。
その際の、ＣＰＵ１７の信号出力ポートの設定は、図３（ａ）のようになる。具体的には、ＣＰＵ１７が間欠受信を行う際に、信号出力ポートの設定は、インピーダンスが高い状態であるハイインピーダンスレベル（Ｈｉ―Ｚ）の設定から、一定以上の電圧を出力するハイレベル（ｈｉｇｈ）の設定に変化する。
そして、間欠受信が終了する際には、ＣＰＵ１７の信号出力ポートの設定は、一定以上の電圧を出力するハイレベル（ｈｉｇｈ）の設定からインピーダンスが高い状態であるハイインピーダンスレベル（Ｈｉ―Ｚ）の設定に変化する。
ここで、通常の信号出力ポートはハイレベル（Ｈｉｇｈ）とローレベル（Ｌｏｗ）の設定しかないが、本実施形態のＣＰＵ１７はローレベル（Ｌｏｗ）の代わりに、インピーダンスが高いハイインピーダンスレベル（Ｈｉ−Ｚ）を有する。
そして、通常の信号出力ポートは、ローレベルとした場合には、信号出力ポートに接続されている定電流チップイネーブル端子１３ｂへの入力も、ローレベルとなる。
しかし、本発明のようにハイインピーダンスレベルを有すると、インピーダンスが高いため、信号出力ポートに電力が供給されていなくても、信号出力ポートに接続されている定電流チップイネーブル端子１３ｂは、直ちにはローレベル（基準電圧）にはならない。
そして、図２のように、信号出力ポートと定電流チップイネーブル端子１３ｂとの接続部分に、第１キャパシタ１９及び第１抵抗２１があると、図３（ｂ）のように、緩やかに定電流チップイネーブル端子１３ｂへの入力は減少する。
つまり、間欠受信終了によってＣＰＵ１７の駆動が終了して、信号出力ポートがハイレベルからハイインピーダンスレベルに変更しても、定電流チップイネーブル端子１３ｂへの入力は図３（ｂ）のように緩やかにしか減少しない。
そして、定電流チップイネーブル端子１３ｂの電圧に応じて定電流ＬＥＤ駆動回路１３がＬＥＤ１１ａへの電力の供給を行う閾値であるＣＥ―Ｈｉｇｈレベルを下回るまで、定電流ＬＥＤ駆動回路１３はＬＥＤ１１ａに電力を供給し続ける。
よって、ＬＥＤ１１ａは図３（ｄ）のように、ＣＰＵ１７が間欠受信を終了した後もしばらく、発光を続けることができる。
【００３１】
なお、ＬＥＤ駆動回路のチップイネーブルを有効とするＣＥ―Ｈｉｇｈレベルの電圧は、ＣＰＵ１７のハイレベルよりも低い電圧としている。
このような構成としたことによって、ＣＰＵ１７の信号出力ポートのみによって、定電流チップイネーブル端子１３ｂを有効とするだけの電圧を発生させることができる。
また、ＣＰＵ１７は、ハイインピーダンスレベルに設定されている間は、スリープ状態を維持する。
このような構成としたことによって、スリープ状態を長時間維持することができる。
【００３２】
ここで、定電流チップイネーブル端子１３ｂへの入力が図３（ｂ）のように緩やかに減少する程度は、第１キャパシタ１９及び第１抵抗２１の時定数によって変更することができる。
したがって、第１キャパシタ１９及び第１抵抗２１を適正値に変更することによって、所望の時間だけＬＥＤ１１ａを発光させることが可能となる。
そこで、第１キャパシタ１９のキャパシタ容量を設計時等に設定すれば、ＬＥＤ１１ａの発光時間を自由に調整できるという効果がある。
【００３３】
また、定電流チップイネーブル端子１３ｂの電圧に応じて定電流ＬＥＤ駆動回路１３がＬＥＤ１１ａへの電力の供給を行う閾値であるＣＥ―Ｈｉｇｈレベルの調整によって、所望の時間だけＬＥＤ１１ａを発光させることが可能となる。
そして、できるだけＣＥ―Ｈｉｇｈレベルを低く調整すると、より長くＬＥＤ１１ａを発光させることができる。
【００３４】
図４は、図２の回路の効果の説明図である。
【００３５】
間欠受信となる間隔を１２００ｍｓとし、間欠受信している期間を１００ｍｓとし、ＬＥＤ１１ａが発光している期間を２００ｍｓとしている。
また、スリープモード時に間欠受信していない期間に携帯電話機１が必要とする電流を１ｍＡ、間欠受信している期間に携帯電話機１が必要とする電力を５５ｍＡ、間欠受信終了後にＬＥＤ１１ａを点灯させ続けるのに携帯電話機１が必要とする電力を６ｍＡとしている。
そうすると、一周期である１２００ｍｓの間の平均電流は、５．９１ｍＡとなる。
一方、図８に示される従来技術において、２００ｍｓの間にＬＥＤ１１ａを発光させるために間欠受信期間を２００ｍｓとしたときには、一周期である１２００ｍｓの間の平均電流は、９．１７ｍＡとなる。
したがって、従来技術に比べて、本実施形態では６４．５％（＝５．９１／９．１７＊１００）の電力で駆動することができる。
【００３６】
＜第１の変形例＞
図５は、ＬＥＤ駆動回路に定電圧ＬＥＤ駆動回路１４を用いた実施形態の説明図である。
【００３７】
基本的には図２の回路と同様なので、同一の点は説明を省略する。
図５のＬＥＤ駆動回路は、図２の定電流回路とは異なり定電圧回路となっている。また、定電圧ＬＥＤ駆動回路１４であることから、第２抵抗２４をＬＥＤ１１ａと定電圧ＬＥＤ駆動回路１４の間に挟んでいる。
【００３８】
＜第２の変形例＞
図６は、デジタル的な方法によってＬＥＤ１１ａの発光時間を延長する方法の説明図である。
図７は、図６の方法の動作の説明図である。
【００３９】
ＣＰＵ１７の信号出力ポートと定電流ＬＥＤ駆動回路１３（定電圧ＬＥＤ駆動回路１４）の定電流チップイネーブル端子１３ｂ（定電圧チップイネーブル端子１４ｂ）との接続ラインの間に、制御信号延長回路が接続されている。
そして、制御信号延長回路２５は、設定値保持部３３と、発振回路３１と、リセット発生回路２７と、カウンタ回路２９と、比較器３５と、を有している。
この設定値保持部３３は、延長時間を延長時間値として記録している。たとえば、６５５４という値である。
この延長時間値は、工場出荷時に設定されていてもよいし、ユーザが自由に設定可能であってよい。
発振回路３１は、一定の周波数でパルス信号を発生する。たとえば、３２．７６８ｋＨｚで発振してパルス信号を発生させる。
また、リセット発生回路２７は、信号出力ポートの出力を受けて、リセット信号を発生する。具体的には、信号ポートの出力が、ローレベルからハイレベルになった場合等である。
カウンタ回路２９は、リセット発生回路２７からのリセット信号を受けてからのパルス数をカウントし、カウント値を比較器３５に出力する。
また、比較器３５は、カウンタ回路２９から出力されたカウント値と、設定値保持部３３が有する延長時間値とを比較する。
そして、比較器３５は、延長時間値がカウント値よりも大である場合には、定電流ＬＥＤ駆動回路１３によってＬＥＤ１１ａを点灯させ、延長時間値がカウント値よりも小である場合に、定電流ＬＥＤ駆動回路１３によってＬＥＤ１１ａを消灯させる。
【００４０】
以上の実施形態によれば、本発明の携帯電話機１は、不在着信及び／又は未読電子メールの存在を点滅によって報知可能なＬＥＤ１１ａと、ＬＥＤを駆動する定電流ＬＥＤ駆動回路１３（又は定電圧ＬＥＤ駆動回路１４）と、を有している。
さらに、本発明の携帯電話機１は、基地局との無線通信を制御するＣＰＵ１７と、を有している。
そして、定電流ＬＥＤ駆動回路１３（又は定電圧ＬＥＤ駆動回路１４）のチップイネーブル端子と、ＣＰＵ１７の信号出力ポートとを接続ライン１８で接続している。
また、ＣＰＵ１７は、消費電力を抑えるスリープモード時に、一時的に基地局との無線通信を行う間欠受信を行う。
さらに、間欠受信が終了した後であっても、定電流チップイネーブル端子１３ｂ（定電圧チップイネーブル端子１４ｂ）への入力を一定値以上に維持することによってＬＥＤ１１ａを点滅させる。
このような構成としたことによって、ＬＥＤ１１ａはＣＰＵ１７が間欠受信を終了した後もしばらく、発光を続けることができるにもかかわらず、消費電力の低減を図ることができる。
【００４１】
接続ライン１８と定電流ＬＥＤ駆動回路１３（又は定電圧ＬＥＤ駆動回路１４）の電源グランドとの間に、ＬＥＤ１１ａの点滅時間を決定する第１キャパシタ１９を配設している。
また、ＣＰＵ１７は、信号出力ポートをハイレベル及びインピーダンスが高いハイインピーダンスレベルに設定可能である。
さらに、ＣＰＵ１７は、間欠受信時に信号出力ポートをハイレベルに設定を行い、間欠受信終了時に信号出力ポートをハイインピーダンスレベルに設定を行う。
そして、間欠受信終了後は第１キャパシタ１９から放電される電荷によって定電流チップイネーブル端子１３ｂ（定電圧チップイネーブル端子１４ｂ）に印加される電圧を発生してＬＥＤ１１ａを点滅させる。
このような構成としたことによって、アナログ的な方法によって、ＬＥＤ１１ａの点灯時間を延長することができる。
【００４２】
ＣＰＵ１７は、ハイインピーダンスレベルに設定されている間は、スリープ状態を維持する。
このような構成としたことによって、スリープ状態を長時間維持することができる。
【００４３】
定電流ＬＥＤ駆動回路１３（又は定電圧ＬＥＤ駆動回路１４）のチップイネーブルを有効とする電圧は、ＣＰＵ１７のハイレベルよりも低い電圧とする。
このような構成としたことによって、ＣＰＵ１７の信号出力ポートのみによって、定電流チップイネーブル端子１３ｂを有効とするだけの電圧を発生させることができる。
【００４４】
接続ライン１８の間に、制御信号延長回路２５が接続されている。
また、制御信号延長回路２５は、延長時間を延長時間値として記録している設定値保持部３３と、一定の周波数でパルス信号を発生する発振回路３１と、信号出力ポートの出力を受けて、リセット信号を発生するリセット発生回路２７とを有している。
さらに、制御信号延長回路２５は、リセット発生回路２７からのリセット信号を受けてからのパルス数をカウントし、カウント値を比較器３５に出力するカウンタ回路２９と、比較器３５と、を有している。
そして、比較器３５は、カウンタ回路２９から出力されたカウント値と、設定値保持部３３が有する延長時間値とを比較し、延長時間値がカウント値よりも大である場合には、定電流ＬＥＤ駆動回路１３（又は定電圧ＬＥＤ駆動回路１４）によってＬＥＤ１１ａを点灯させる。
他方、比較器３５は、延長時間値がカウント値よりも小である場合に、定電流ＬＥＤ駆動回路１３（又は定電圧ＬＥＤ駆動回路１４）によってＬＥＤ１１ａを消灯させる。
このような構成としたことによって、デジタル的な方法によって、ＬＥＤ１１ａの点灯時間を延長することができる。
【００４５】
本発明は、以上の実施形態に限定されず、種々の態様で実施されてよい。
【００４６】
携帯電子機器は、携帯電話機１に限定されない。例えば、携帯電子機器は、ノートパソコン、ＰＤＡ、ゲーム機、カメラであってもよい。また、携帯電子機器は、非折り畳み式のものに限定されない。
【符号の説明】
【００４７】
１…携帯電話機、２…筐体、４…フロントケース、５…リアケース、８…表示部、１０…入力部、１１…インジケータ、１１ａ…ＬＥＤ、１３…定電流ＬＥＤ駆動回路（ＬＥＤ駆動回路）、１３ａ…定電流電源供給端子、１３ｂ…定電流チップイネーブル端子（チップイネーブル端子）、１３ｃ…定電流出力端子、１４…定電圧ＬＥＤ駆動回路（ＬＥＤ駆動回路）、１４ａ…定電圧電源供給端子、１４ｂ…定電圧チップイネーブル短端子（チップイネーブル端子）、１４ｃ…定電圧出力端子、１５…バッテリ、１７…ＣＰＵ（制御部）、１７ａ…無線通信用ＣＰＵ（制御部）、１７ｂ…ＵＩ用ＣＰＵ、１８…接続ライン、１９…第１キャパシタ（キャパシタ）、２１…第１抵抗、２３…第２キャパシタ（第２のキャパシタ）、２４…第２抵抗、２５…制御信号延長回路、２７…リセット発生回路、２９…カウンタ回路、３１…発振回路、３３…設定値保持部、３５…比較器
【図１】
2011155473.tif 000003
【図２】
2011155473.tif 000004
【図３】
2011155473.tif 000005
【図４】
2011155473.tif 000006
【図５】
2011155473.tif 000007
【図６】
2011155473.tif 000008
【図７】
2011155473.tif 000009
【図８】
2011155473.tif 000010